(57)【要約】【課題】失神の前兆が発生したこと又は失神が発症したことを、閲覧者に、より分かりやすい情報として出力することができる生体情報検出装置の提供。【解決手段】生体情報検出装置１００は、被検体の脈波情報を測定する脈波情報測定部１１０と、被検体における失神の前兆又は失神発症の状況に応じて変化する失神指標情報を、測定された脈波情報に基づいて求める制御部１３０と、を含む。そして、制御部１３０は、所与の期間内における複数の脈動の脈波振幅情報に基づいて、失神指標情報を求める。【選択図】  図１
2016067481.tif 000002
【特許請求の範囲】
【請求項１】
被検体の脈波情報を測定する脈波情報測定部と、
前記被検体における失神の前兆又は失神発症の状況に応じて変化する失神指標情報を、測定された前記脈波情報に基づいて求める制御部と、
を含み、
前記制御部は、
所与の期間内における複数の脈動の脈波振幅情報に基づいて、前記失神指標情報を求めることを特徴とする生体情報検出装置。
【請求項２】
請求項１において、
前記制御部は、
前記所与の期間内における前記複数の脈動の前記脈波振幅情報の合計値に基づいて、前記失神指標情報を求めることを特徴とする生体情報検出装置。
【請求項３】
請求項２において、
前記制御部は、
前記合計値と、前記失神指標情報の算出用の係数との乗算処理を行って、前記失神指標情報を求めることを特徴とする生体情報検出装置。
【請求項４】
請求項３において、
前記制御部は、
前記被検体の脈拍数に応じて変化する前記係数と、前記合計値との前記乗算処理を行って、前記失神指標情報を求めることを特徴とする生体情報検出装置。
【請求項５】
請求項４において、
前記制御部は、
第１の脈拍数範囲で増加し前記第１の脈拍数範囲に比べて前記脈拍数の大きい第２の脈拍数範囲において減少する前記係数と、前記合計値との前記乗算処理を行って、前記失神指標情報を求めることを特徴とする生体情報検出装置。
【請求項６】
請求項５において、
前記制御部は、
前記第１の脈拍数範囲と前記第２の脈拍数範囲との間の第３の脈拍数範囲において一定の値になる前記係数と、前記合計値との前記乗算処理を行って、前記失神指標情報を求めることを特徴とする生体情報検出装置。
【請求項７】
請求項１乃至６のいずれかにおいて、
前記制御部は、
求めた前記失神指標情報を、報知部によって報知される報知情報として出力することを特徴とする生体情報検出装置。
【請求項８】
請求項７において、
前記制御部は、
前記失神指標情報が求められた前記脈波情報と、前記失神指標情報とを関連付けた情報を、前記報知部によって報知される前記報知情報として出力することを特徴とする生体情報検出装置。
【請求項９】
請求項７又は８において、
前記制御部は、
前記イベント発生時の前記失神指標情報と、通常時の前記失神指標情報を、前記報知部によって報知される前記報知情報として出力することを特徴とする生体情報検出装置。
【請求項１０】
請求項１乃至９のいずれかにおいて、
測定された前記脈波情報に基づいて、前記失神の前兆又は前記失神発症の失神イベントが、前記被検体に発生したか否かを判定するイベント判定部をさらに含み、
前記制御部は、
前記失神イベントが発生したと判定されたタイミングに対応する前記脈波情報に基づいて、前記失神指標情報を求めることを特徴とする生体情報検出装置。
【請求項１１】
請求項１０において、
前記イベント判定部は、
前記脈波情報に基づいて、前記被検体が徐脈状態であると判定された場合に、前記失神イベントが前記被検体に発生したと判定することを特徴とする生体情報検出装置。
【請求項１２】
請求項１０又は１１において、
前記イベント判定部は、
前記脈波情報に基づいて、前記被検体が頻脈状態であると判定された場合に、前記失神イベントが前記被検体に発生したと判定することを特徴とする生体情報検出装置。
【請求項１３】
請求項１０乃至１２のいずれかにおいて、
前記イベント判定部は、
前記脈波情報に基づいて、前記被検体が脈抜け状態であると判定された場合に、前記失神イベントが前記被検体に発生したと判定することを特徴とする生体情報検出装置。
【請求項１４】
請求項１０乃至１３のいずれかにおいて、
前記イベント判定部は、
前記脈波情報に基づいて、前記被検体が心房細動状態であると判定された場合に、前記失神イベントが前記被検体に発生したと判定することを特徴とする生体情報検出装置。
【発明の詳細な説明】
【技術分野】
【０００１】
本発明は、生体情報検出装置等に関係する。
【背景技術】
【０００２】
失神の診断・治療ガイドライン（２０１２年改訂版）によれば、米国における３，８７７人の失神患者の調査では、３８１人（９．８％）の患者が自動車運転中に失神発作を来たしていたことが分かっている。自動車運転中に失神してしまうと、直ちに事故に繋がる可能性が非常に高く、危険である。前述したガイドラインによれば、自動車運転中に失神発作を来たした患者は、失神の既往があっても自動車運転中の失神発作の経験のない患者に比べ、比較的若年で男性に多く、心血管疾患の既往のある患者に多いということが分かっている。このことからも失神の発症をモニタリングし、早期に失神の原因をしっかりと診断することが重要である。このような失神の原因検出に関する発明としては、特許文献１に記載される従来技術がある。特許文献１では、被検体に装着することが簡便なパッチ型ＥＣＧ（心電図）と脈波により、失神時の被検体の状態をモニタリングする手法が考案されている。
【先行技術文献】
【特許文献】
【０００３】
【特許文献１】特表２０１１−５０５８９１号公報
【発明の概要】
【発明が解決しようとする課題】
【０００４】
失神の要因には、起立性、反射性（神経性）、心原性がある。中でも心原性で不整脈の疑いがある場合は、植込み型心電計が用いられるが、皮膚下に植え込む必要があり、人体への負荷が大きいものであるため、医師から植え込みを勧められても植え込まない患者も多い。
【０００５】
そこで、前述した特許文献１に記載される手法が考案されているが、パッチ型ＥＣＧは通常のＥＣＧと同じく胸部に電極を貼りつける必要があり、長時間装着していると皮膚がかぶれてしまうおそれがあり、長時間の測定には適していなかった。
【０００６】
また、医師等が被検体特有の失神の原因を解析する際には、大量の脈波データを閲覧する必要がある。そして、失神の原因の解析に役立ちそうな脈波データを発見し次第、その脈波データが計測された周辺時刻のデータも併せて詳しく解析する。しかし、脈波波形だけを用いる場合には、瞬時に、どの脈波データが原因の解析に重要な脈波データであるかを判別できない場合があった。
【０００７】
本発明の幾つかの態様によれば、失神の前兆が発生したこと又は失神が発症したことを、閲覧者に、より分かりやすい情報として出力することができる生体情報検出装置等を提供することができる。
【課題を解決するための手段】
【０００８】
本発明の一態様は、被検体の脈波情報を測定する脈波情報測定部と、前記被検体における失神の前兆又は失神発症の状況に応じて変化する失神指標情報を、測定された前記脈波情報に基づいて求める制御部と、を含み、前記制御部は、所与の期間内における複数の脈動の脈波振幅情報に基づいて、前記失神指標情報を求める生体情報検出装置に関係する。
【０００９】
本発明の一態様では、被検体における失神の前兆又は失神発症の状況に応じて変化する失神指標情報を、所与の期間内における複数の脈動の脈波振幅情報に基づいて求める。
【００１０】
よって、失神の前兆が発生したこと又は失神が発症したことを、閲覧者に、より分かりやすい情報として出力することが可能となる。
【００１１】
また、本発明の一態様では、前記制御部は、前記所与の期間内における前記複数の脈動の前記脈波振幅情報の合計値に基づいて、前記失神指標情報を求めてもよい。
【００１２】
これにより、あるタイミングの脈波情報だけでなく、失神イベントが発生した所与の期間の脈波情報から、失神指標情報を求めること等が可能になる。
【００１３】
また、本発明の一態様では、前記制御部は、前記合計値と、前記失神指標情報の算出用の係数との乗算処理を行って、前記失神指標情報を求めてもよい。
【００１４】
これにより、脈拍係数を調整することによって、失神指標情報の増減率を調整すること等が可能になる。
【００１５】
また、本発明の一態様では、前記制御部は、前記被検体の脈拍数に応じて変化する前記係数と、前記合計値との前記乗算処理を行って、前記失神指標情報を求めてもよい。
【００１６】
これにより、脈拍数に応じて失神指標情報を変化させること等が可能になる。
【００１７】
また、本発明の一態様では、前記制御部は、第１の脈拍数範囲で増加し前記第１の脈拍数範囲に比べて前記脈拍数の大きい第２の脈拍数範囲において減少する前記係数と、前記合計値との前記乗算処理を行って、前記失神指標情報を求めてもよい。
【００１８】
これにより、例えば被検体が徐脈状態や頻脈状態である場合に、失神指標情報の値を小さくすること等が可能になる。
【００１９】
また、本発明の一態様では、前記制御部は、前記第１の脈拍数範囲と前記第２の脈拍数範囲との間の第３の脈拍数範囲において一定の値になる前記係数と、前記合計値との前記乗算処理を行って、前記失神指標情報を求めてもよい。
【００２０】
これにより、例えば被検体の脈拍数が正常である場合に、失神指標情報の値を大きくすること等が可能になる。
【００２１】
また、本発明の一態様では、前記制御部は、求めた前記失神指標情報を、報知部によって報知される報知情報として出力してもよい。
【００２２】
これにより、報知部が失神指標情報を報知することが可能となり、医師等が失神指標情報に基づいて、その時の被検体の状態を詳しく調べる必要があるか否かを判定すること等が可能になる。
【００２３】
また、本発明の一態様では、前記制御部は、前記失神指標情報が求められた前記脈波情報と、前記失神指標情報とを関連付けた情報を、前記報知部によって報知される前記報知情報として出力してもよい。
【００２４】
これにより、例えば失神指標情報とその失神指標情報に対応する脈波波形を、表示部に同時に表示すること等が可能になる。
【００２５】
また、本発明の一態様では、前記制御部は、前記イベント発生時の前記失神指標情報と、通常時の前記失神指標情報を、前記報知部によって報知される前記報知情報として出力してもよい。
【００２６】
これにより、医師等が通常時の被検体の失神指標情報と、失神イベントが発生した時の失神指標情報を見比べて、その時の被検体の状態を詳しく調べる必要があるか否かを判定すること等が可能になる。
【００２７】
また、本発明の一態様では、測定された前記脈波情報に基づいて、前記失神の前兆又は前記失神発症の失神イベントが、前記被検体に発生したか否かを判定するイベント判定部をさらに含み、前記制御部は、前記失神イベントが発生したと判定されたタイミングに対応する前記脈波情報に基づいて、前記失神指標情報を求めてもよい。
【００２８】
これにより、失神イベント発生時の被検体の状態を表す失神指標情報を求めること等が可能になる。
【００２９】
また、本発明の一態様では、前記イベント判定部は、前記脈波情報に基づいて、前記被検体が徐脈状態であると判定された場合に、前記失神イベントが前記被検体に発生したと判定してもよい。
【００３０】
これにより、被検体が徐脈状態である時の脈波情報を記憶したり、徐脈状態であることを報知したりすること等が可能になる。
【００３１】
また、本発明の一態様では、前記イベント判定部は、前記脈波情報に基づいて、前記被検体が頻脈状態であると判定された場合に、前記失神イベントが前記被検体に発生したと判定してもよい。
【００３２】
これにより、被検体が頻脈状態である時の脈波情報を記憶したり、頻脈状態であることを報知したりすること等が可能になる。
【００３３】
また、本発明の一態様では、前記イベント判定部は、前記脈波情報に基づいて、前記被検体が脈抜け状態であると判定された場合に、前記失神イベントが前記被検体に発生したと判定してもよい。
【００３４】
これにより、被検体が脈抜け状態である時の脈波情報を記憶したり、脈抜け状態であることを報知したりすること等が可能になる。
【００３５】
また、本発明の一態様では、前記イベント判定部は、前記脈波情報に基づいて、前記被検体が心房細動状態であると判定された場合に、前記失神イベントが前記被検体に発生したと判定してもよい。
【００３６】
これにより、被検体が心房細動状態である時の脈波情報を記憶したり、脈抜け状態であることを報知したりすること等が可能になる。
【図面の簡単な説明】
【００３７】
【図１】本実施形態のシステム構成例。
【図２】図２（Ａ）〜図２（Ｄ）は、失神の前兆がある時の脈波波形の説明図。
【図３】図３（Ａ）〜図３（Ｅ）は、失神指標情報の説明図。
【図４】脈拍係数の説明図。
【図５】本実施形態の処理の流れを説明するフローチャート。
【図６】失神イベントの検出処置の流れを説明するフローチャート。
【図７】報知処理の流れを説明するフローチャート。
【図８】初期設定の流れを説明するフローチャート。
【図９】失神イベントの検出処理の流れを説明する他のフローチャート。
【図１０】第１イベント脈との比較処理の流れを説明するフローチャート。
【図１１】報知処理の流れを説明する他のフローチャート。
【図１２】失神指標情報の特定処理の流れを説明するフローチャート。
【図１３】図１３（Ａ）、図１３（Ｂ）は、本実施形態の生体情報検出装置の外観図。
【図１４】本実施形態の生体情報検出装置の外観図。
【図１５】生体情報検出装置の装着及び情報処理装置との通信についての説明図。
【図１６】図１６（Ａ）、図１６（Ｂ）は、表示画像の説明図。
【発明を実施するための形態】
【００３８】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３９】
１．概要
本実施形態は、簡便に装着可能なウェアラブル脈波測定装置を用いた生体情報検出装置（失神検出装置）に関する。ウェアラブル脈波測定装置は、例えば腕時計型である。本実施形態の生体情報検出装置は、脈波センサー及びその他のセンサーが搭載されたものであり、脈波を常時検出しながら、内部メモリーに脈波を記録する。そして、脈波から特定した脈拍数や脈波振幅値を予め設定された２つの値と比較し、脈拍数が所与の条件を満たした場合に、被検体に対して警告を通知し、その時の脈波をイベント脈として記録する。具体的には、脈拍数が第１の閾値未満（例：４０ｂｐｍ未満）になった場合、または脈拍数が第２の閾値以上（例：２００ｂｐｍ以上）になり、脈波振幅が減少傾向になった場合や、２秒以上脈波が抜けた場合に、警告を通知し、その時の脈波をイベント脈として記録する。イベント脈は、予め設定されたイベント脈の記録容量に到達するまで記録される。
【００４０】
また、不整脈による失神は、上記の原因の他にも、心房細動が原因のものもある。そこで本実施形態では、公知の心房細動判定処理を行って、心房細動判定割合が設定値を超えたと判定した場合に、失神の可能性があるとして警告を通知し、その時の脈波をイベント脈として記録する。
【００４１】
さらに、失神する場合は、ＳｐＯ２（血中酸素飽和度）が低下することも知られており、ＳｐＯ２検出処理を行って、ＳｐＯ２値が設定値（例えば８０％）以下となった場合に、失神の可能性があるとして警告を通知し、その時の脈波をイベント脈として記録する。
【００４２】
なお、上記の各処理では、無線による通信手段を用いてスマートフォンやＰＣ等の電子機器に脈波を送信して、それらが記録を行ってもよい。さらに、生体情報検出装置と電子機器とが相互通信可能な状態であれば、電子機器が警告を通知可能であってもよい。
【００４３】
さらに失神した場合には被検体が転倒する可能性もある。そのため、ウェアラブル脈波測定装置に内蔵した多軸加速度センサーが設定値以上になった場合に、失神による転倒として検出して警告を通知し、その前後数分間の脈波をイベント脈として記録する。
【００４４】
本実施形態では、上記のように、イベント脈を記録した後に、医師等が記録したデータの解析を行う。データの解析を行う際には、生体情報検出装置や、生体情報検出装置と通信により接続された情報処理装置等が、記憶された各イベント脈の脈波データに基づいて、イベント脈拍数を算出する。イベント脈拍数は、イベント脈として記録された一連の脈波データの中で、脈波振幅値が最も低い値を中心とした所与の脈波間隔における脈拍数である。
【００４５】
また、その際には、生体情報検出装置等が、被検体の迷走神経活動を表す指標としてＬＦ／ＨＦを算出する。さらにイベント脈以外の脈波データから通常脈拍数を算出する。
【００４６】
そして、表示部が、イベント脈波、イベント脈拍数、迷走神経活動及び通常時脈波、通常脈拍数等を表示する。
【００４７】
医師はこの表示から、被検体の失神の前兆が、不整脈性（頻脈性か除脈性）によるものか、迷走神経性によるものか等を判断する。なお、前述したように、これらの解析処理と表示処理は、スマートフォンやＰＣ等の電子機器（情報処理装置）が行ってもよい。
【００４８】
以上のように、本実施形態によれば、従来の電極を皮膚に貼り、ＥＣＧを検出するものや、植込み型心電計とは異なり、簡便で長時間、日常生活における被検体の脈波をモニタリングすることが可能となり、失神症状がある患者のモニタリングや診断の補助とすることが可能となる。
【００４９】
２．システム構成例
次に、図１に本実施形態の生体情報検出装置の構成例を示す。
【００５０】
本実施形態の生体情報検出装置１００は、脈波情報測定部１１０と、イベント判定部１２０と、制御部１３０と、を含む。なお、生体情報検出装置１００は、図１の構成に限定されず、これらの一部の構成要素を省略したり、他の構成要素を追加したりするなどの種々の変形実施が可能である。生体情報検出装置１００の一部又は全部の機能は、例えばウェアラブル脈波測定装置により実現される。また、本実施形態の生体情報検出装置１００の一部又は全部の機能は、携帯電子機器もしくは生体情報検出装置１００と通信により接続されたサーバーにより実現されてもよい。
【００５１】
次に各部で行われる処理について説明する。
【００５２】
脈波情報測定部１１０は、被検体の脈波情報を測定する。ここで、脈波情報測定部１１０は、例えば脈波センサーである。脈波センサーは、脈波センサー信号（脈波情報）を検出するためのセンサーであり、例えば光電センサー等が考えられる。ただし、脈波センサーとして光電センサーを用いるとは限らず、超音波を用いたセンサー等のその他のセンサーを用いてもよい。そして、脈波センサーとして一つのセンサーだけが設けられるとは限らず、複数種類のセンサーが設けられても良い。また、複数の脈波センサーが設けられる場合には、生体情報検出装置１００の異なる位置（部位）に各センサーが設けられても良い。
【００５３】
そして、イベント判定部１２０は、測定された脈波情報に基づいて、失神の前兆又は失神発症の失神イベントが、被検体に発生したか否かを判定する。
【００５４】
制御部１３０は、失神イベントが発生したと判定された場合に、失神イベントの発生時における脈波情報の記憶処理、及び失神イベントの報知処理の少なくとも一方の処理を行う。なお、イベント判定部１２０及び制御部１３０の機能は、各種プロセッサー（ＣＰＵ等）、ＡＳＩＣ（ゲートアレイ等）などのハードウェアや、プログラムなどにより実現できる。
【００５５】
すなわち、本実施形態では、脈波情報を測定し、測定された脈波情報に基づいて、失神の前兆又は失神発症の失神イベントが、被検体に発生したか否かを判定する。そして、失神イベントが発生したと判定された場合に、失神イベントの発生時における脈波情報の記憶処理、及び失神イベントの報知処理の少なくとも一方の処理を行う。
【００５６】
これにより、例えば失神イベント発生時の脈波情報を記憶しておき、後に医師等が失神イベント発生時の脈波情報を解析して、失神の原因を特定することが可能になる。また、失神イベントが発生した時に、被検体にその旨を報知することによって、失神発症による事故を未然に防ぐことが可能になる。
【００５７】
また、本実施形態の生体情報検出装置は、例えば腕時計型のウェアラブル脈波測定装置であり、例えば光又は超音波により脈波を測定するものであるため、前述したように、被検体の体内に心電計を植え込んだり、皮膚をかぶれさせたりすることもない。つまり、被検体が常時、生体情報検出装置を装着する場合にも、被検体に対する身体的な負担を抑制することができる。
【００５８】
以上のように本実施形態によれば、被検体にかかる身体的な負担を抑制しつつ、失神の前兆又は失神発症を検出することが可能となる。
【００５９】
３．本実施形態の手法
次に、本実施形態の手法について説明する。まず、失神イベントの判定処理について説明する。本実施形態では、前述したように、被検体が徐脈状態、頻脈状態、脈抜け状態等の場合に、失神イベントが発生したと判定する。以下では、各ケースについて具体的な説明を行う。
【００６０】
まず、イベント判定部１２０は、脈波情報に基づいて、被検体が徐脈状態であると判定された場合に、失神イベントが被検体に発生したと判定する。
【００６１】
これにより、被検体が徐脈状態である時の脈波情報を記憶したり、徐脈状態であることを報知したりすること等が可能になる。
【００６２】
具体例を説明する。まず、通常、被検体の脈波は図２（Ａ）に示すような波形を示すものであるとする。図２（Ａ）のグラフは、縦軸が振幅を表し、横軸が時間を表すものとする。図２（Ｂ）〜図２（Ｄ）、図３（Ａ）〜図３（Ｅ）のグラフも同様である。
【００６３】
図２（Ａ）の例では、脈拍数が６０ｂｐｍであり、振幅が１００である。また、その他の、図２（Ｂ）〜図２（Ｄ）、図３（Ａ）〜図３（Ｅ）のグラフでは、図２（Ａ）の脈波波形の振幅を１００とした相対値で、その振幅を表す。
【００６４】
そして、イベント判定部１２０は、脈波情報に基づいて特定される脈拍数が、第１の閾値未満である場合に、被検体が徐脈状態であると判定する。
【００６５】
例えば、図２（Ｂ）の例では、脈拍数が３０ｂｐｍである。徐脈状態であると判定するための第１の閾値を例えば４０ｂｐｍとすると、図２（Ｂ）の場合には、脈拍数が第１の閾値未満であるため、被検体が徐脈状態であると判定できる。
【００６６】
これにより、第１の閾値を調整することにより、徐脈状態であると判定する被検体の状態を調整すること等が可能になる。
【００６７】
また、イベント判定部１２０は、脈波情報に基づいて、被検体が頻脈状態であると判定された場合に、失神イベントが被検体に発生したと判定する。
【００６８】
これにより、被検体が頻脈状態である時の脈波情報を記憶したり、頻脈状態であることを報知したりすること等が可能になる。
【００６９】
具体的には、イベント判定部１２０は、脈波情報に基づいて特定される脈拍数が、第２の閾値以上であり、脈波情報に基づいて特定される第１のタイミングの脈波振幅よりも、第１のタイミングよりも後の第２のタイミングの脈波振幅の方が小さい場合に、被検体が頻脈状態であると判定する。
【００７０】
例えば、図２（Ｃ）の例では、脈拍数が２２０ｂｐｍである。頻脈状態であると判定するための第２の閾値を例えば２００ｂｐｍとすると、図２（Ｃ）の場合には、脈拍数が第２の閾値以上である。さらに、図２（Ｃ）の例では、イベント脈として記憶された脈波波形の最初の振幅が６０であったのに対して、５０、４０、３０、２０、１０と段々と振幅が減少しているため、被検体が頻脈状態であると判定できる。
【００７１】
これにより、第２の閾値を調整することにより、頻脈状態であると判定する被検体の状態を調整すること等が可能になる。
【００７２】
また、イベント判定部１２０は、脈波情報に基づいて、被検体が脈抜け状態であると判定された場合に、失神イベントが被検体に発生したと判定する。
【００７３】
これにより、被検体が脈抜け状態である時の脈波情報を記憶したり、脈抜け状態であることを報知したりすること等が可能になる。
【００７４】
具体的には、イベント判定部１２０は、脈波情報に基づいて特定される脈拍数が、第３の閾値以上で、第４の閾値未満である際に、脈波情報に基づいて特定される脈波波形において、所与の期間に渡って脈動が非検出である場合に、被検体が脈抜け状態であると判定する。
【００７５】
例えば、図２（Ｄ）の例では、脈拍数が６０ｂｐｍである。ここで、脈抜け状態であると判定するための第３の閾値を４０ｂｐｍ、第４の閾値を２００ｂｐｍとすると、図２（Ｃ）の場合には、脈拍数が第３の閾値以上で第４の閾値未満である。なお、第３の閾値は、第１の閾値と同じ値であってもよいし、異なる値であってもよい。同様に、第４の閾値は、第２の閾値と同じ値であってもよいし、異なる値であってもよい。ただし、第４の閾値は、第３の閾値よりも大きい値である。
【００７６】
さらに、図２（Ｄ）の例では、脈動を検出できない期間が３．２秒あるため、被検体が脈抜け状態であると判定できる。なお、ここでは、脈動を検出できない所与の期間を２秒以上の期間とした。
【００７７】
これにより、例えば所与の期間を調整することにより、脈抜け状態であると判定する被検体の状態を調整すること等が可能になる。
【００７８】
本実施形態では、上記の他にも、例えばイベント判定部１２０が、脈波情報に基づいて、被検体が心房細動状態であると判定された場合に、失神イベントが被検体に発生したと判定する。被検体が心房細動状態であるか否かは、公知の手法を用いて判定する。
【００７９】
これにより、被検体が心房細動状態である時の脈波情報を記憶したり、脈抜け状態であることを報知したりすること等が可能になる。
【００８０】
さらに、イベント判定部１２０は、被検体の血中酸素飽和度（ＳｐＯ２）が所与の設定値以下であると判定される場合にも、失神イベントが被検体に発生したと判定する。例えば所与の設定値は８０％であり、血中酸素飽和度（ＳｐＯ２）が８０％以下であると判定された場合に、失神イベントが被検体に発生したと判定する。
【００８１】
これにより、被検体の血中酸素飽和度（ＳｐＯ２）が所与の設定値以下である時の脈波情報を記憶したり、脈抜け状態であることを報知したりすること等が可能になる。
【００８２】
また、イベント判定部１２０は、不図示の体動センサーから得られる体動センサー情報に基づいて、被検体が失神により転倒したと判定される場合には、失神イベントが被検体に発生したと判定する。この場合には、失神の前兆が発生したのではなく、失神が発症し、それが原因で転倒した場合が想定される。
【００８３】
これにより、失神により被検体が転倒した時の脈波情報を記憶すること等が可能になる。
【００８４】
そして、制御部１３０は、記憶された失神イベントの発生時における脈波情報を、報知部３００によって報知される報知情報として出力する。
【００８５】
これにより、イベント発生時の脈波情報を被検体や医師等が知ること等が可能になる。
【００８６】
ここで、失神イベントの発生時における脈波情報は、失神イベントの発生時における脈拍数（以下、イベント脈拍数）と、失神イベントの発生時における脈波波形（以下、イベント脈波波形）との少なくとも１つの情報を含む。ただし、失神イベントの発生時における脈波情報は、これらの情報に限定されない。
【００８７】
これにより、図２（Ｂ）〜図２（Ｄ）に示すようなイベント脈拍数とイベント脈波波形の少なくとも一方を、報知部３００により報知することができる。
【００８８】
また、制御部１３０は、脈波情報に基づいて、被検体の自律神経活動情報を求め、失神イベントの発生時における脈波情報に自律神経活動情報を関連付けて、報知部３００によって報知される報知情報として自律神経活動情報を出力する。
【００８９】
これにより、医師等が、失神イベント発生時の被検体の自律神経活動情報を知ること等が可能になる。
【００９０】
また、イベント判定部１２０は、判定用の基準脈波情報に基づいて失神イベントが発生したか否かを判定する。
【００９１】
例えば、前述した図２（Ａ）〜図２（Ｄ）の例では、基準脈波情報は、あらかじめ決められた脈拍数の所与の閾値（４０ｂｐｍ、２００ｂｐｍ等）や、所与の脈抜け期間（２秒以上）等である。
【００９２】
これにより、基準脈波情報に対して、現在取得した脈波情報に異常があるか否かを判定すること等が可能になる。
【００９３】
また他にも、基準脈波情報は、ユーザー（被検体）による操作を受け付けたタイミングに対応する脈波情報であってもよい。つまり、ユーザーにより初めて操作を受け付けたタイミングでは、被検体が正常な状態（通常状態）であると判定して、その時の脈波情報を基準脈波情報としてもよい。
【００９４】
例えば、前述した図２（Ａ）〜図２（Ｄ）の例では、図２（Ａ）の脈波情報（脈拍数６０ｂｐｍ、振幅１００等）が、基準脈波情報となる。
【００９５】
これにより、あらかじめ基準脈波情報を登録しておかなくても、被検体が測定処理を行う度に、基準脈波情報を新たに登録すること等が可能になる。
【００９６】
そして、イベント判定部１２０は、基準脈波情報と、脈波情報測定部１１０によって測定された脈波情報とを比較することによって、失神イベントが発生したか否かを判定してもよい。
【００９７】
例えば、図２（Ｂ）の例では、現在の脈拍数（３０ｂｐｍ）と、基準脈拍数（４０ｂｐｍ）とを比較して、徐脈状態であると判定してもよい。また、図２（Ｃ）の例では、現在の脈拍数（２２０ｂｐｍ）と、基準脈波情報の脈拍数（２０ｂｐｍ）とを比較し、さらに、振幅（５０〜１０）と、図２（Ａ）の脈波波形の振幅（１００）とを比較することにより、頻脈状態であると判定してもよい。
【００９８】
これにより、通常時と比べて、被検体に徐脈や頻脈等の異常が発生していると判断できる場合に、失神イベントが発生したと判定すること等が可能になる。
【００９９】
また、報知部３００により失神イベントが発生したことを被検体や医師に報知する際には、一目で分かりやすい情報を提示することが望ましい。医師等は、脈波波形からも被検体の失神に関する状態を読み取ることが可能ではあるが、数値等の指標の方が、判断がより容易である。また、一つの数値を見て、被検体に異常が発生しているかいないかの大まかな判断ができれば、その時の被検体の状態をより詳しく調べた方がよいかを、迅速に判断することも可能になる。
【０１００】
そこで、本実施形態では、制御部１３０が、被検体における失神の前兆又は失神発症の状況に応じて変化する失神指標情報を、測定された脈波情報に基づいて求める。
【０１０１】
失神指標情報とは、被検体に失神の前兆があるか、又は被検体が失神発症しているか否かを、例えば医師等が判断するために用いる情報である。失神指標情報は、例えば被検体における失神の前兆又は失神発症の状況に応じて変化する数値である。より具体的には、例えば図３（Ａ）〜図３（Ｅ）の例では、失神指標情報は脈波振幅指数のことである。
【０１０２】
そして、制御部１３０は、所与の期間内における複数の脈動の脈波振幅情報に基づいて、失神指標情報を求める。
【０１０３】
ここで、脈動（脈拍）とは、脈波の振幅が極大になる動脈の拍動のことをいう。例えば、図３（Ａ）の例では、脈波の振幅が極大になる回数が５回あるため、５つの脈動が含まれている。この５つの脈動が前述した所与の期間における複数の脈動に相当する。
【０１０４】
具体的に、脈波振幅情報は、下式（１）により求めることができる。下式（１）において、ｘｉはイベント脈として記憶された脈波波形の各波の振幅であり、ｉは各波を指し示す番号である。また、ａは、後述する被検体の脈拍数に応じて変化する係数である。
【０１０５】
【数１】
2016067481.tif 000003
例えば、図３（Ａ）には、通常時の脈波波形を図示しているが、この場合には、振幅が１００の波を５つ足し合わせ、係数ａ＝１を乗算して、脈波振幅指数を５００と計算する。
【０１０６】
次に、図３（Ｂ）は、脈拍数が図３（Ａ）と同じ６０ｂｐｍであるものの、振幅が徐々に小さくなる例を図示している。この場合には、各波の振幅を足し合わせ、係数ａ＝１を乗算すると、脈波振幅指数が３３０となる。この値を図３（Ａ）の５００という値と比較すると、明らかに数値が小さくなっているため、医師は何らかの異常が発生していると瞬時に判断することが可能となる。
【０１０７】
また、図３（Ｃ）は、徐脈状態の例を図示している。この場合には、脈拍数の合計値が１６０に低下しており、合計値に係数ａ＝１を乗算すると、脈波振幅指数が１６０となる。この値は、図３（Ａ）の５００という値と比較すると、明らかに小さいため、医師は何らかの異常が発生していると瞬時に判断することが可能となる。
【０１０８】
以上をまとめると、まず制御部１３０は、失神イベントが発生したと判定されたタイミングに対応する脈波情報に基づいて、失神指標情報を求める。
【０１０９】
これにより、後述するように、失神イベント発生時の被検体の状態を表す失神指標情報を求めること等が可能になる。
【０１１０】
そして、制御部１３０は、所与の期間内における複数の脈動の脈波振幅情報の合計値に基づいて、失神指標情報を求める。例えば図３（Ａ）の例において、所与の期間は、脈波波形の波５つ分の期間であり、複数の脈動とは、その波５つ分のことである。さらに、その脈波振幅情報とは、５つの波の各振幅（１００）のことであり、その合計値は５００となる。
【０１１１】
これにより、あるタイミングの脈波情報だけでなく、失神イベントが発生した所与の期間の脈波情報から、失神指標情報を求めること等が可能になる。その結果、脈波情報に含まれるノイズによる影響を低減して、医師等が誤判断しないようにすること等が可能になる。
【０１１２】
また、制御部１３０は、所与の期間内における複数の脈動の脈波振幅情報の合計値と、失神指標情報の算出用の係数との乗算処理を行って、失神指標情報を求める。
【０１１３】
この係数（以下、脈拍係数と呼ぶ。）は、被検体の脈拍数に応じて変化する数値である。言い換えれば、制御部１３０は、被検体の脈拍数に応じて変化する係数と、前述した脈波振幅情報の合計値との乗算処理を行って、失神指標情報を求める。
【０１１４】
具体的に、脈拍係数は、図４のグラフに示すような係数である。図４のグラフは、縦軸を脈拍係数とし、横軸を脈拍数（ｂｐｍ）とする。
【０１１５】
例えば図３（Ｄ）の場合には、脈拍数が２２０ｂｐｍであり、頻脈状態となっている。そして、脈拍数が２２０ｂｐｍの場合には、図４のグラフから脈拍係数が０．７と求められる。従って、図３（Ｄ）の例における脈拍数の合計値２６０に、係数ａ＝０．７を乗算すると、脈波振幅指数が１８２となる。この値は、図３（Ａ）の５００という値と比較すると、明らかに小さいため、医師は何らかの異常が発生していると瞬時に判断することが可能となる。
【０１１６】
また、図３（Ｅ）の場合も図３（Ｄ）の場合と同様であり、頻脈状態であるため、脈波振幅指数が２６６となっており、異常が発生している判定できる。
【０１１７】
これにより、脈拍係数を調整することによって、失神指標情報の増減率を調整すること等が可能になる。
【０１１８】
つまり、以下で詳しく説明するように、脈拍数に応じて失神指標情報を変化させること等が可能になる。
【０１１９】
脈拍係数は、第１の脈拍数範囲で増加し第１の脈拍数範囲に比べて脈拍数の大きい第２の脈拍数範囲において減少する。すなわち、制御部１３０は、第１の脈拍数範囲で増加し、第１の脈拍数範囲に比べて脈拍数の大きい第２の脈拍数範囲において減少する係数と、合計値との乗算処理を行って、失神指標情報を求める。
【０１２０】
図４の例では、約４０ｂｐｍ以下の範囲が第１の脈拍数範囲であり、約１４０ｂｐｍ以上の範囲が第２の脈拍数範囲である。
【０１２１】
これにより、被検体が徐脈状態や頻脈状態である場合に、失神指標情報の値を小さくすること等が可能になる。
【０１２２】
さらに、脈拍係数は、第１の脈拍数範囲と第２の脈拍数範囲との間の第３の脈拍数範囲において、一定の値になる。すなわち、制御部１３０は、第１の脈拍数範囲と第２の脈拍数範囲との間の第３の脈拍数範囲において一定の値になる係数と、合計値との乗算処理を行って、失神指標情報を求める。
【０１２３】
図４の例では、約４０ｂｐｍ以上かつ約１４０ｂｐｍ未満の範囲が第３の脈拍数範囲である。
【０１２４】
これにより、被検体の脈拍数が正常である場合に、失神指標情報の値を大きくすること等が可能になる。
【０１２５】
なお、脈拍係数は、例えば脈波伝搬速度を元にした値や、動脈硬化度を元にした値であってもよい。ここで、脈波伝搬速度は、心電図においてＲ波が検出されたタイミングから、生体情報検出装置によって脈波が検出されたタイミングまでの時間に基づいて算出される。この際には、心電図計を有し裏蓋が電極となっている生体情報検出装置を、被検体の左手首に装着する。次に、生体情報検出装置のベゼル（電極）に被検体が右手で触れて、生体情報検出装置内の心電図計が誘導心電図を検出して記録する。そして、前述したように、生体情報検出装置が、検出した心電図に基づいて脈波伝搬速度を求める。このように構成することで、脈波と心電図との情報を組み合わせて脈拍係数を設定できるため、より正確な値を設定することができる。
【０１２６】
また、制御部１３０は、求めた失神指標情報を、報知部３００によって報知される報知情報として出力する。
【０１２７】
これにより、報知部３００が失神指標情報を報知することが可能となり、医師等が失神指標情報に基づいて、その時の被検体の状態を詳しく調べる必要があるか否かを判定すること等が可能になる。
【０１２８】
また、制御部１３０は、失神指標情報が求められた脈波情報と、失神指標情報とを関連付けた情報を、報知部３００によって報知される報知情報として出力する。
【０１２９】
これにより、例えば失神指標情報とその失神指標情報に対応する脈波波形を、表示部に同時に表示すること等が可能になる。その結果、医師等が失神指標情報を見て、異常があり、詳しく調べる必要があると判断した場合に、即座にその時の脈波波形を見ること等が可能になる。
【０１３０】
また、制御部１３０は、イベント発生時の失神指標情報と、通常時の失神指標情報を、報知部３００によって報知される報知情報として出力する。
【０１３１】
これにより、医師等が通常時の被検体の失神指標情報と、失神イベントが発生した時の失神指標情報を見比べて、その時の被検体の状態を詳しく調べる必要があるか否かを判定すること等が可能になる。
【０１３２】
以上のようにすることで、失神の前兆が発生したこと又は失神が発症したことを、閲覧者に、より分かりやすい情報として提示（出力）することが可能となる。
【０１３３】
４．処理の詳細
次に、図５のフローチャートを用いて、本実施形態の処理のおおまかな流れについて説明する。
【０１３４】
まず、脈波情報測定部１１０は、生体情報（脈波情報）を測定し（Ｓ５０１）、測定した生体情報を不図示の内部メモリーに記憶する（Ｓ５０２）。次に、イベント判定部１２０が、測定した生体情報に基づいて、失神イベントのイベント検出処理を行う（Ｓ５０３）。なお、イベント検出処理の詳細な流れは、後述する。
【０１３５】
そして、制御部１３０が、内部メモリーに記憶したイベント脈の脈波情報の記憶容量が設定値以上か否か、又は生体情報の測定処理が終了されたか否かを判定する（Ｓ５０４）。
【０１３６】
次に、制御部１３０は、イベント脈の脈波情報の記憶容量が設定値未満であり、かつ測定処理が終了されていないと判定した場合には、ステップＳ５０３において新たに検出したイベント脈の脈波情報を、内部メモリーに記憶させる（Ｓ５０５）。
【０１３７】
次に、制御部１３０が、前述した転倒検出処理を行う（Ｓ５０６）。
【０１３８】
そして、制御部１３０が、失神イベントが発生している場合には、報知部３００による失神イベントの報知処理、又は外部装置への失神イベントの脈波情報の送信処理の少なくとも一方を行って（Ｓ５０７）、ステップＳ５０１に戻る。なお、報知処理の具体的な流れについては、後に詳述する。
【０１３９】
また、ステップＳ５０４において、制御部１３０が、イベント脈の脈波情報の記憶容量が設定値以上、又は測定処理が終了されていると判定した場合には、処理を終了する。
【０１４０】
次に、図６のフローチャートを用いて、イベント検出処理の詳細について説明する。
【０１４１】
まず、脈波情報測定部１１０が、図５のステップＳ５０１において検出した生体情報の中から、脈波情報を特定する（Ｓ６０１）。生体情報は、脈波情報の他にも被検体の身体に関する種々の測定データを含んでいてもよい。
【０１４２】
そして、イベント判定部１２０が、脈波情報から脈拍数を特定し、特定した脈拍数が第１の閾値（４０ｂｐｍ）以下か否かを判定する（Ｓ６０２）。
【０１４３】
イベント判定部１２０が、脈拍数が第１の閾値（４０ｂｐｍ）以下であると判定した場合には、被検体が徐脈状態であると判断して（Ｓ６０３）、イベント検出処理を終了する。例えば、前述した図２（Ｂ）の場合に相当する。
【０１４４】
一方、イベント判定部１２０が、脈拍数が第１の閾値（４０ｂｐｍ）よりも大きいと判定した場合には、被検体が徐脈状態ではないと判定する。そして、脈拍数が第２の閾値（２００ｂｐｍ）以上か否かを判定する（Ｓ６０４）。
【０１４５】
イベント判定部１２０が、脈拍数が第２の閾値（２００ｂｐｍ）以上であると判定した場合には、さらに、脈波振幅が徐々に減少しているか否かを判定する（Ｓ６０５）。
【０１４６】
そして、イベント判定部１２０が、脈波振幅が徐々に減少していると判定した場合には、被検体が頻脈状態であると判断して（Ｓ６０３）、イベント検出処理を終了する。例えば、前述した図２（Ｃ）の場合に相当する。
【０１４７】
一方、イベント判定部１２０が、脈拍数が第２の閾値よりも小さいと判定した場合、又は脈拍数が第２の閾値以上であるが、脈波振幅が減少していないと判定した場合には、頻脈状態ではないと判定する。この場合には、イベント判定部１２０が、２秒以上の脈抜けがあるか否かを判定する（Ｓ６０６）。
【０１４８】
イベント判定部１２０が、２秒以上の脈抜けがあると判定した場合には、脈抜け状態であると判断して（Ｓ６０３）、イベント検出処理を終了する。例えば、前述した図２（Ｄ）の場合に相当する。
【０１４９】
一方、イベント判定部１２０が、２秒以上の脈抜けがないと判定した場合には、脈抜け状態でもないため、失神イベントが発生していないと判断して、イベント検出処理を終了する。
【０１５０】
次に、図７のフローチャートを用いて、図５のＳ５０７の報知処理の詳細な流れについて説明する。図７に示す一連の処理は、例えばユーザーにより生体情報検出装置１００の解析ボタンが押された時に実施される。
【０１５１】
まず、制御部１３０が、イベント脈の脈波振幅が低い箇所の脈拍数を算出する（Ｓ９０１）。次に、制御部１３０が、被検体の迷走神経活動を表す指標として、周波数解析により、ＨＦ（High Frequency）と、ＬＦ（Low Frequency）／ＨＦを算出する（Ｓ９０２）。そして、制御部１３０が、通常脈波データから通常脈拍数を算出し（Ｓ９０３）、これらのデータを表示部（報知部３００）に表示させ、処理を終了する。なお、これらの処理は、生体情報検出装置１００が行っても良いし、外部の情報処理装置が行ってもよい。
【０１５２】
また、図８〜図１２のフローチャートに、失神指標情報を算出する際の処理の流れを示す。
【０１５３】
この際には、先に初期設定を行っておく必要がある。初期設定では、図８のフローチャートに示すように、まず、脈波情報測定部１１０が、生体情報（脈波情報）を測定し（Ｓ１００１）、測定した生体情報を不図示の内部メモリーに記憶させる（Ｓ１００２）。次に、制御部１３０が、生体情報検出装置１００に設けられたイベントボタンが押されたか否かを判定する（Ｓ１００３）。
【０１５４】
本例では、例えば被検体がめまいなどの低血圧状態（脳虚血症状）や、労作時の息切れや疲労感（心拍出量低下）を感じたときに、被検体がイベントボタンを押す。生体情報検出装置１００に設けられたイベントボタンが押されたと判定した場合には、制御部１３０は、イベントボタンが押されたタイミングの時刻とその前後数分の脈波を、第１イベント脈として記録して（Ｓ１００４）、初期設定を終了する。
【０１５５】
一方、生体情報検出装置１００に設けられたイベントボタンが押されていないと判定した場合には、ステップＳ１００１に戻り、第１イベント脈が記録されるまで処理を繰り返す。
【０１５６】
次に、失神検出処理の流れを図９のフローチャートを用いて説明する。まず、ステップＳ１００１及びステップＳ１００２と同様に、脈波情報測定部１１０が、生体情報（脈波情報）を測定し（Ｓ１１０１）、測定した生体情報を不図示の内部メモリーに記憶する（Ｓ１１０２）。
【０１５７】
そして、イベント判定部１２０が、第１イベント脈との比較処理を行う（Ｓ１１０３）。なお、本処理の詳細な流れについては後述する。
【０１５８】
次に、イベント判定部１２０が、ステップＳ１１０３の比較結果に基づいて、失神イベントが発生したか否かを判定し（Ｓ１１０４）、失神イベントが発生したと判定した場合には、第（ｎ＋１）イベント脈の脈波情報として、内部メモリーに現在測定している脈の脈波情報を記憶させる（Ｓ１１０５）。ｎは１以上の整数である。例えば、第（ｎ＋１）イベント脈の脈波波形は、前述した図３（Ｂ）〜図３（Ｅ）のいずれかに示す脈波波形である。
【０１５９】
そして、制御部１３０が、報知部３００による失神イベントの報知処理、又は外部装置への失神イベントの脈波情報の送信処理の少なくとも一方を行う（Ｓ１１０６）。その後に、終了指示がある場合には、処理を終了し、終了指示がない場合には、ステップＳ１１０１に戻る。なお、報知処理の具体的な流れについては、後に詳述する。
【０１６０】
また、ステップＳ１１０４において、失神イベントが発生していないと判定した場合にも、ステップＳ１１０１に戻り、処理を繰り返す。
【０１６１】
次に、図１０のフローチャートを用いて、第１イベント脈との比較処理の流れを説明する。ステップＳ１２０５以外の処理は、図６のステップＳ６０１〜ステップＳ６０４、ステップＳ６０６と同様であるため、説明を省略する。
【０１６２】
図６のステップＳ６０５では、制御部１３０が、脈波振幅が徐々に減少しているか否かを判定したが、図１０のステップＳ１２０５では、制御部１３０が、現在測定した脈波振幅が、第１イベント脈の振幅以下であるか否かを判定する。
【０１６３】
そして、現在測定した脈波振幅が、第１イベント脈の振幅以下であると判定した場合には、失神イベントが発生したと判定して（Ｓ１２０３）、処理を終了する。つまり、本実施形態では、現在の脈波情報が、第１イベント脈の脈波情報よりも失神の前兆又は失神の程度が酷いと判定される時に、現在の脈波情報を第（ｎ＋１）イベント脈として記憶する（Ｓ１１０５）。
【０１６４】
一方、現在測定した脈波振幅が、第１イベント脈の振幅よりも大きいと判定した場合には、ステップＳ１２０６の脈抜けの判定処理を行う。
【０１６５】
次に、図１１を用いて、図９のステップＳ１１０６の報知処理の詳細な流れについて説明する。
【０１６６】
まず、制御部１３０は、第１イベント脈の脈波情報と第（ｎ＋１）イベント脈の脈波情報とを読み出す（Ｓ１３０１）。そして、失神指標情報の特定処理を行う（Ｓ１３０２）。失神指標情報の特定処理の詳細な流れは後述する。また、図１１のステップＳ１３０３以降の処理の流れは、図７のステップＳ９０１以降の処理の流れと同様なため、説明を省略する。
【０１６７】
次に、図１２を用いて、図１１のステップＳ１３０２の失神指標情報の特定処理の詳細な流れについて説明する。
【０１６８】
まず、制御部１３０が、図１１のステップＳ１３０１において取得した第１イベント脈の脈波情報と第（ｎ＋１）イベント脈の脈波情報とに対して、第１イベント脈の脈波振幅を１００とする相対値化処理を行う（Ｓ１４０１）。そして、制御部１３０が、イベント脈波の脈波振幅が所与の閾値よりも低い期間の脈波を、所与の設定時間分だけ読み出す（Ｓ１４０２）。
【０１６９】
さらに、制御部１３０は、設定時間分の脈拍振幅の相対値合計処理を行う（Ｓ１４０３）。
【０１７０】
最後に、制御部１３０は、脈波係数の乗算処理を行って（Ｓ１４０４）、処理を終了する。すなわち、ステップＳ１４０３とステップＳ１４０４では、前述した式（１）の処理を行う。
【０１７１】
また、前述した図１１のステップＳ１３０６では、このようにして求めた脈波情報や失神指標情報等に基づいて、図１６（Ａ）及び図１６（Ｂ）に示すような表示画像を、表示部（報知部３００）に表示する。図１６（Ａ）には、頻脈による失神イベントが発生した時の表示画像の一例を、図１６（Ｂ）には、徐脈による失神イベントが発生した時の表示画像の一例を示す。本実施形態では、これらの表示画像を医師等が閲覧して、被検体の失神の原因等を解析する。
【０１７２】
例えば、図１６（Ａ）の表示画像を例にとって、詳細に説明すると、本例の表示画像では、横軸を共通の時間軸として、失神指標情報、脈拍数（ｂｐｍ）、３軸加速度センサーのセンサー信号、迷走神経活動を表すＨＦ（ｍｓ２）及び交感神経活動を表すＬＦ／ＨＦを表示する。
【０１７３】
図１６（Ａ）の例では、時刻１５：００〜１５：１５の間に、３３０〜３６０付近で安定していた失神指標情報が、２１７へと大きく変動しており、何か異常が起こっていることが分かる。そこで、その他の情報を詳しく見ると、Ｔ１のタイミングにおいて、脈拍数が急激に大きくなっていることが分かる。また、加速度センサーのセンサー信号や、ＨＦには大きな変化はないが、ＬＦ／ＨＦも大きく変動していることが分かる。この時の脈拍数をさらに詳しく解析すると、図１６（Ａ）の下図に示すように、脈拍数が増加している一方で、脈拍の振幅が小さくなっていることが分かる。よって、被検体が頻脈状態になっていると判断できる。このようにして、医師等は、被検体が頻脈状態に陥ることがあり、それが失神の前兆になり得ると判断することができる。なお、表示部には、図１６（Ａ）下図の脈拍数の詳細画像などを、ユーザーに指示に基づいて適宜表示してもよい。
【０１７４】
同様に、図１６（Ｂ）の例では、時刻１５：００〜１５：１５の間に、失神指標情報が大きく変動している。この間の情報を詳しく見ると、脈拍数が減少しており、ＨＦやＬＦ／ＨＦを大きく変動しているため、被検体が徐脈状態であると判断することができる。このようにして、医師等は、被検体が徐脈状態に陥ることがあり、それが失神の前兆になり得ると判断することができる。
【０１７５】
５．生体情報検出装置の構成例
図１３（Ａ）、図１３（Ｂ）、図１４に本実施形態の生体情報検出装置の外観図を示す。図１３（Ａ）は生体情報検出装置を正面方向側から見た図であり、図１３（Ｂ）は上方向側から見た図であり、図１４は側面方向側から見た図である。
【０１７６】
図１３（Ａ）〜図１４に示すように本実施形態の生体情報検出装置は、バンド部５１０とケース部５３０とセンサー部（脈波情報測定部）１１０を有する。ケース部５３０は、バンド部５１０に取り付けられる。センサー部１１０は、ケース部５３０に設けられる。また、生体情報検出装置は前述した図１に示すように、イベント判定部１２０と、制御部１３０と、を有し、これらはケース部５３０に設けられる。なお、本実施形態の生体情報検出装置は図１３（Ａ）〜図１４等の構成に限定されず、その構成要素の一部を省略したり、他の構成要素に置き換えたり、他の構成要素を追加するなどの種々の変形実施が可能である。
【０１７７】
バンド部５１０は、ユーザーの手首に巻き付けて生体情報検出装置を装着するためのものである。バンド部５１０は、穴部５１２、バックル部５１４を有する。バックル部５１４はバンド挿入部５１５と突起部５１６を有する。ユーザーは、バンド部５１０の一端側を、バックル部５１４のバンド挿入部５１５に挿入し、バンド部５１０の穴部５１２にバックル部５１４の突起部５１６を挿入することで、生体情報検出装置を手首に装着することができる。この場合、どの穴部５１２に突起部５１６を挿入するかに応じて、センサー部１１０への押圧（手首表面に対する押圧）の大きさが調整される。
【０１７８】
ケース部５３０は、生体情報検出装置の本体部に相当するものである。ケース部５３０の内部には、センサー部１１０、イベント判定部１２０、制御部１３０等の生体情報検出装置の種々の構成部品が設けられる。即ち、ケース部５３０は、これらの構成部品を収納する筐体である。
【０１７９】
ケース部５３０には発光窓部５３２が設けられている。発光窓部５３２は透光部材により形成されている。そしてケース部５３０には、フレキシブル基板に実装された発光部（ＬＥＤ）が設けられており、この発光部からの光が、発光窓部５３２を介してケース部５３０の外部に照射される。
【０１８０】
図１４に示すようにケース部５３０には端子部５３１が設けられている。生体情報検出装置を図示しないクレードルに装着すると、クレードルの端子部とケース部５３０の端子部５３１が電気的に接続される。これにより、ケース部５３０に設けられる二次電池（バッテリー）の充電が可能になる。
【０１８１】
センサー部（脈波情報測定部）１１０は被検体の脈波等の生体情報を検出するものである。例えばセンサー部１１０は、受光部と発光部を有する。またセンサー部１１０は、透光部材により形成され、被検体の皮膚表面に接触して押圧を与える凸部５５２を有する。このように凸部５５２が皮膚表面に押圧を与えた状態で、発光部が光を出射し、その光が被検体（血管）により反射された光を受光部が受光し、その受光結果が検出信号として制御部１３０に出力される。そして、制御部１３０は、センサー部１１０からの検出信号に基づいて脈波等の生体情報を検出する。なお、本実施形態の生体情報検出装置の検出対象となる生体情報は、脈波（脈拍数）には限定されず、生体情報検出装置は、脈波以外の生体情報（例えば血液中の酸素飽和度、体温、心拍等）を検出する装置であってもよい。
【０１８２】
図１５は生体情報検出装置１００の装着及び携帯型通信端末２００との通信についての説明図である。
【０１８３】
図１５に示すように被検体であるユーザーは手首４１０に生体情報検出装置１００を時計のように装着する。図１４に示すように、ケース部５３０の被検体側の面にはセンサー部１１０が設けられている。従って、生体情報検出装置１００が装着されると、センサー部１１０の凸部５５２が手首４１０の皮膚表面に接触して押圧を与え、その状態でセンサー部１１０の発光部が光を発光し、受光部が反射光を受光することで脈波等の生体情報が検出される。
【０１８４】
生体情報検出装置１００と情報処理装置２００は通信接続されて、データのやり取りが可能になっている。情報処理装置２００は、例えばスマートフォン、携帯電話機、フューチャーフォン等の携帯型通信端末である。或いは情報処理装置２００は、タブレット型コンピューター等の情報処理端末であってもよい。生体情報検出装置１００と情報処理装置２００の通信接続としては、例えばブルートゥース等の近接無線通信を採用できる。このように生体情報検出装置１００と携帯型通信端末２００が通信接続されることで、携帯型通信端末２００の表示部４３０（ＬＣＤ等）に、脈拍数や消費カロリーなどの各種の生体情報（第１の生体情報、第２の生体情報）を表示できる。即ち、センサー部１１０の検出信号に基づき求められた各種の情報を表示できる。表示部４３０は、前述した報知部３００の一例である。なお、失神指標情報等の演算処理は、生体情報検出装置１００において実行してもよいし、その少なくとも一部を携帯型通信端末２００において実行してもよい。
【０１８５】
また、本実施形態の生体情報検出装置１００等は、その処理の一部または大部分をプログラムにより実現してもよい。この場合には、ＣＰＵ等のプロセッサーがプログラムを実行することで、本実施形態の生体情報検出装置１００等が実現される。具体的には、非一時的な情報記憶装置に記憶されたプログラムが読み出され、読み出されたプログラムをＣＰＵ等のプロセッサーが実行する。ここで、情報記憶装置（コンピューターにより読み取り可能な装置）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶装置に格納されるプログラム（データ）に基づいて本実施形態の種々の処理を行う。即ち、情報記憶装置には、本実施形態の各部としてコンピューター（操作部、処理部、記憶部、出力部を備える装置）を機能させるためのプログラム（各部の処理をコンピューターに実行させるためのプログラム）が記憶される。
【０１８６】
これにより、本実施形態の処理をプログラムにより実現することが可能になる。プログラムは、例えば、スマートフォン等のようなデバイスの処理部（例えばＤＳＰ）等に読み出されて実行されるプログラムであってもよい。
【０１８７】
また、本実施形態の生体情報検出装置１００等は、プロセッサーとメモリーを含んでも良い。ここでのプロセッサーは、例えばＣＰＵ（Central Processing Unit）であってもよい。ただし、プロセッサーはＣＰＵに限定されるものではなく、ＧＰＵ（Graphics Processing Unit）、或いはＤＳＰ（Digital Signal Processor）等、各種プロセッサーを用いることが可能である。また、プロセッサーはＡＳＩＣ（Application Specific Integrated Circuit）によるハードウェア回路でもよい。また、メモリーはコンピューターにより読み取り可能な命令を格納するものであり、当該命令がプロセッサーにより実行されることで、本実施形態に係る生体情報検出装置１００等の各部が実現されることになる。ここでのメモリーは、ＳＲＡＭ（Static Random Access Memory）、ＤＲＡＭ（Dynamic Random Access Memory）などの半導体メモリーであってもよいし、レジスターやハードディスク等でもよい。また、ここでの命令は、プログラムを構成する命令セットの命令でもよいし、プロセッサーのハードウェア回路に対して操作を指示する命令であってもよい。
【０１８８】
また、ユーザーが装着する脈波検出デバイスは、脈波センサー１１と、脈波センサー１１からの脈波センサー信号を無線又は有線で通信する通信部から構成されてもよい。その場合、本実施形態のプログラムは、脈波検出デバイスとは別体として設けられ、前述した通信部から脈波センサー信号を受信する情報処理システムの処理部（例えばＣＰＵ）等に読み出されて実行される。この情報処理システムはＰＣ等のユーザーによる装着が想定されないものであってもよいし、スマートフォン等のユーザーによる装着（携帯）が想定されるものであってもよい。また、インターネット等のネットワークを介して接続されたサーバーシステム等を情報処理システムとしてもよい。
【０１８９】
脈波検出デバイスと、プログラムが実行される情報処理システムが別体である場合、拍動情報のユーザーへの提示に用いられる表示部は任意の箇所に設けられる。例えば、情報処理システムの表示部に表示してもよいし、脈波検出デバイスに表示部を設け、情報処理システムから出力された拍動情報を表示してもよい。また、異なる機器（例えば情報処理システムとしてサーバーシステムを用いた場合の任意のクライアント装置等）の表示部に表示してもよい。
【０１９０】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報検出装置の構成、動作も本実施形態で説明したものに限定されず、種々の変形実施が可能である。
【符号の説明】
【０１９１】
１００  生体情報検出装置、１１０  脈波情報測定部（センサー部）、
１２０  イベント判定部、１３０  制御部、２００  携帯型通信端末（情報処理装置）、
３００  報知部、４１０  手首、４３０  表示部、５１０  バンド部、５１２  穴部、
５１４  バックル部、５１５  バンド挿入部、５１６  突起部、５３０  ケース部、
５３１  端子部、５３２  発光窓部、５５２  凸部
【図１】
2016067481.tif 000004
【図２】
2016067481.tif 000005
【図３】
2016067481.tif 000006
【図４】
2016067481.tif 000007
【図５】
2016067481.tif 000008
【図６】
2016067481.tif 000009
【図７】
2016067481.tif 000010
【図８】
2016067481.tif 000011
【図９】
2016067481.tif 000012
【図１０】
2016067481.tif 000013
【図１１】
2016067481.tif 000014
【図１２】
2016067481.tif 000015
【図１３】
2016067481.tif 000016
【図１４】
2016067481.tif 000017
【図１５】
2016067481.tif 000018
【図１６】
2016067481.tif 000019